【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
組織にマイクロ波エネルギーを印加する医療装置であって、
該装置は、
伝送線と、
該伝送線に電気的に連結され、第１の非配備構成と第２の配備構成との間で可動である可撓性アンテナと
を備え、該アンテナは、細長い第１の導体および第２の導体を備え、
該第１の導体は、ループ構造を含む第１の平面プロファイルで配設されており、該配備構成において、該ループ構造の遠位領域は、非外傷性であり、該ループ構造の近位領域よりも広く、
該第２の導体は、該伝送線の遮蔽要素に電気的に連結されており、該配備構成において、該第２の導体は、該第１の導体の出力を改変して容量マイクロ波場を産生し、該容量マイクロ波場は、該アンテナの中心において強く、該アンテナの角において弱くなるように成形されている、装置。
【請求項２】
前記アンテナは、前記伝送線の遮蔽要素に電気的に連結される第２の導体をさらに備え、該第２の導体は、前記第１の導体へマイクロ波エネルギーを印加するときに、該第２の導体が、該第１の導体の出力を改変して前記容量マイクロ波場を産生するように構成される第２の平面プロファイルを備える、請求項１に記載の医療装置。
【請求項３】
前記第１または第２の導体は、一連の丸みを帯びた縁を備える、請求項１に記載の医療装置。
【請求項４】
第１の平面プロファイルは、前記容量マイクロ波場を生成して、子宮腔にエネルギーを印加するように成形される、請求項１に記載の医療装置。
【請求項５】
前記アンテナの前記配備構成は、前記子宮腔の形状に実質的に近似している、請求項４に記載の医療装置。
【請求項６】
前記アンテナは、子宮内膜上の損傷が、前記子宮腔の中心においてより深く、副角領域においてより浅く、子宮下部領域においてより浅くなるように前記容量マイクロ波場を生成して子宮内膜を切除するように構成される、請求項４に記載の医療装置。
【請求項７】
前記アンテナは、前記子宮腔の自然な形状を改変しないように十分に可撓性である、請求項４に記載の医療装置。
【請求項８】
前記アンテナの長さは、前記第２の配備構成において、前記子宮腔の長さの半分以上である、請求項４に記載の医療装置。
【請求項９】
前記アンテナの長さは、前記第２の配備構成において、前記子宮腔の長さの少なくとも４分の３である、請求項４に記載の医療装置。
【請求項１０】
前記アンテナの広がりは、前記第２の配備構成において、前記子宮腔の広がりまたは幅の半分以上である、請求項４に記載の医療装置。
【請求項１１】
前記アンテナの広がりは、前記第２の配備構成において、前記子宮腔の広がりまたは幅の少なくとも４分の３である、請求項４に記載の医療装置。
【請求項１２】
前記伝送線は、内側導体と、外側導体と、該内側導体と該外側導体との間の誘電材料とを備える同軸ケーブルである、請求項１に記載の医療装置。
【請求項１３】
前記アンテナの前記第１の導体は、前記同軸ケーブルの前記内側導体に接続される、請求項１２に記載の医療装置。
【請求項１４】
前記アンテナの前記第２の導体は、前記同軸ケーブルの前記外側導体に接続される、請求項１２に記載の医療装置。
【請求項１５】
前記第１の導体は、一連の丸みを帯びた縁を備える、請求項１に記載の医療装置。
【請求項１６】
前記伝送線の直径は、４ｍｍ未満である、請求項１に記載の医療装置。
【請求項１７】
前記伝送線は、通路の形状を有意に歪曲することなく、挿入中に生体構造の形状に一致するほど可撓性である、請求項１に記載の医療装置。
【請求項１８】
前記アンテナの遠位領域は、前記第２の配備構成において、該アンテナの近位領域よりも実質的に広い、請求項１に記載の医療装置。
【請求項１９】
前記アンテナの形状は、該アンテナが前記子宮腔の中に配備された後に、ユーザによって修正されることができる、請求項１に記載の医療装置。
【請求項２０】
前記アンテナは、記憶形状特性を有する構成要素を備える、請求項１に記載の医療装置。
【請求項２１】
送達シースをさらに備え、前記アンテナは、該送達シースを通って摺動可能に前進可能である、請求項１に記載の医療装置。
【請求項２２】
前記送達シースに連結される冷却源をさらに備える、請求項２１に記載の医療装置。
【請求項２３】
前記送達シースに連結される真空源をさらに備える、請求項２１に記載の医療装置。
【請求項２４】
前記第１の導体全体は、１つ以上の誘電材料で覆われる、請求項１に記載の医療装置。
【請求項２５】
前記第１の導体は、周囲組織から電気的に絶縁される、請求項１に記載の医療装置。
【請求項２６】
前記アンテナは、０．９１５ＧＨｚ  ＩＳＭ帯域、０．４３３ＧＨｚ  ＩＳＭ帯域、２．４５ＧＨｚ  ＩＳＭ帯域、および５．８ＧＨｚ  ＩＳＭ帯域から成る群より選択される、ＩＳＭ帯域の中にある周波数のマイクロ波エネルギーを放射する、請求項１に記載の医療装置。
【請求項２７】
前記第１の導体の全長は、前記装置によって送達される前記マイクロ波エネルギーの有効波長の４分の１または４分の３のうちの１つである、請求項１に記載の医療装置。
【請求項２８】
前記装置は、発電機に接続され、該発電機は、時間とともに電力送達の大きさを変化させることが可能である、請求項１に記載の医療装置。
【請求項２９】
前記可撓性アンテナは、平面成形要素をさらに備え、該平面成形要素は、前記第１の導体のエネルギー出力を改変して前記容量マイクロ波場を産生し、実質的に空洞の表面全体にエネルギーを送達するように構成される、請求項１に記載の医療装置。
【請求項３０】
少なくとも前記平面成形要素のプロファイルは、前記空洞の形状に基づいて選択される、請求項２９に記載の医療装置。
【請求項３１】
医療アブレーション装置は、前記アンテナの平面が、子宮腔の平面と実質的に平行であるように、該子宮腔内に配置されるように構成される、請求項２９に記載の医療装置。
【請求項３２】
前記アンテナは、子宮内膜の形状と実質的に類似した前記容量マイクロ波場を生成するように構成される、請求項２９に記載の医療装置。
【請求項３３】
前記アンテナは、前記空洞の中へ送達シースを前進させ、該送達シースを通して該アンテナを配備することにより、該空洞の中へ挿入されるように構成される、請求項２９に記載の医療装置。
【請求項３４】
冷却液を適用することにより前記空洞の表面を冷却するように構成された送達シースをさらに備える、請求項２９に記載の医療装置。
【請求項３５】
前記アンテナは、前記空洞に実質的に一致するように構成される、請求項２９に記載の医療装置。
【請求項３６】
前記空洞を押しつぶすために吸引を印加する吸引手段をさらに含む、請求項２９に記載の医療装置。
【請求項３７】
前記空洞を押しつぶすことを支援するために、該空洞への開口部を流体密にする流体密手段をさらに含む、請求項３６に記載の医療装置。
【請求項３８】
前記第２の導体は、前記第１の導体の出力を改変して、前記容量性マイクロ波場が有意なまでに前記アンテナの近位に延在することを防止する、請求項１に記載に医療装置。
【請求項３９】
前記第２の導体は、前記第１の導体の出力から漏洩電流を誘導する、請求項１に記載の医療装置。
【請求項４０】
前記第２の導体は、前記第１の導体の出力に最も近い伝導性経路を提供して、該第１の導体の出力を、前記伝導線の遮蔽要素に連結する代わりに該第２の導体に連結させる、請求項１に記載の医療装置。
【手続補正２】
【補正対象書類名】明細書
【補正対象項目名】００２６
【補正方法】変更
【補正の内容】
【００２６】
本明細書で開示されるアンテナは、マイクロ波場を成形するアンテナの中の付加的な成形要素（例えば、金属物体）とのマイクロ波の相互作用等の、マイクロ波の独特な特性を使用してもよい。例えば、アンテナの中の付加的な成形要素は、より分散型のマイクロ波場を作成するために使用されてもよい。アンテナの中の成形要素はまた、アンテナによる電力集中を向上させるために使用されてもよい。アンテナの中の付加的な要素は、同軸供給ケーブルの内側導体と直接電気伝導していない。本明細書で開示される実施形態のうちのいくつかにおいて、マイクロ波場を成形するために、同軸供給ケーブルの外側導体に電気的に接続される伝導性成形要素（例えば、ループ状要素）が使用される。
本発明は、例えば、以下の項目も提供する。
（項目１）
組織空洞内の表面にマイクロ波エネルギーを印加する医療装置であって、
伝送線と、
該伝送線に電気的に連結され、第１の非配備構成と第２の配備構成との間で可動である可撓性アンテナと
を備え、該アンテナは、該配備構成にあるときに、第１の平面プロファイルで配設される細長い第１の導体を備え、該配備構成において、該アンテナは、容量マイクロ波場を生成するように構成され、該第１の導体の該第１の平面プロファイルは、該組織空洞の大きさにされたマイクロ波場を産生するように該組織空洞に基づいて選択されることにより、該マイクロ波場が、再配置を伴わない１回の活性化において実質的に該組織空洞の表面全体にエネルギーを印加する、装置。
（項目２）
前記アンテナは、前記伝送線の遮蔽要素に電気的に連結される第２の導体をさらに備え、該第２の導体は、前記第１の導体へマイクロ波エネルギーを印加するときに、該第２の導体が、該第１の導体の出力を改変して前記容量マイクロ波場を産生するように構成される第２の平面プロファイルを備える、項目１に記載の医療装置。
（項目３）
前記第２の導体は、一連の丸みを帯びた縁を備える、項目２に記載の医療装置。
（項目４）
第１の平面プロファイルは、前記容量マイクロ波場を生成して、子宮腔にエネルギーを印加するように成形される、項目１に記載の医療装置。
（項目５）
前記アンテナの前記配備構成は、前記子宮腔の形状に実質的に近似している、項目４に記載の医療装置。
（項目６）
前記アンテナは、子宮内膜上の損傷が、前記子宮腔の中心においてより深く、副角領域においてより浅く、子宮下部領域においてより浅くなるように前記容量マイクロ波場を生成して子宮内膜を切除するように構成される、項目４に記載の医療装置。
（項目７）
前記アンテナは、前記子宮腔の自然な形状を改変しないように十分に可撓性である、項目４に記載の医療装置。
（項目８）
前記アンテナの長さは、前記第２の配備構成において、前記子宮腔の長さの半分以上である、項目４に記載の医療装置。
（項目９）
前記アンテナの長さは、前記第２の配備構成において、前記子宮腔の長さの少なくとも４分の３である、項目４に記載の医療装置。
（項目１０）
前記アンテナの広がりは、前記第２の配備構成において、前記子宮腔の広がりまたは幅の半分以上である、項目４に記載の医療装置。
（項目１１）
前記アンテナの広がりは、前記第２の配備構成において、前記子宮腔の広がりまたは幅の少なくとも４分の３である、項目４に記載の医療装置。
（項目１２）
前記伝送線は、内側導体と、外側導体と、該内側導体と該外側導体との間の誘電材料とを備える同軸ケーブルである、項目１に記載の医療装置。
（項目１３）
前記アンテナの前記第１の導体は、前記同軸ケーブルの前記内側導体に接続される、項目１２に記載の医療装置。
（項目１４）
前記アンテナの前記第２の導体は、前記同軸ケーブルの前記外側導体に接続される、項目１２に記載の医療装置。
（項目１５）
前記第１の導体は、一連の丸みを帯びた縁を備える、項目１に記載の医療装置。
（項目１６）
前記伝送線の直径は、４ｍｍ未満である、項目１に記載の医療装置。
（項目１７）
前記伝送線は、通路の形状を有意に歪曲することなく、挿入中に生体構造の形状に一致するほど可撓性である、項目１に記載の医療装置。
（項目１８）
前記アンテナの遠位領域は、前記第２の配備構成において、該アンテナの近位領域よりも実質的に広い、項目１に記載の医療装置。
（項目１９）
前記アンテナの形状は、該アンテナが前記子宮腔の中に配備された後に、ユーザによって修正されることができる、項目１に記載の医療装置。
（項目２０）
前記アンテナは、記憶形状特性を有する構成要素を備える、項目１に記載の医療装置。
（項目２１）
送達シースをさらに備え、前記アンテナは、該送達シースを通って摺動可能に前進可能である、項目１に記載の医療装置。
（項目２２）
前記送達シースに連結される冷却源をさらに備える、項目２１に記載の医療装置。
（項目２３）
前記送達シースに連結される真空源をさらに備える、項目２１に記載の医療装置。
（項目２４）
前記第１の導体全体は、１つ以上の誘電材料で覆われる、項目１に記載の医療装置。
（項目２５）
前記第１の導体は、周囲組織から電気的に絶縁される、項目１に記載の医療装置。
（項目２６）
前記アンテナは、０．９１５ＧＨｚ  ＩＳＭ帯域、０．４３３ＧＨｚ  ＩＳＭ帯域、２．４５ＧＨｚ  ＩＳＭ帯域、および５．８ＧＨｚ  ＩＳＭ帯域から成る群より選択される、ＩＳＭ帯域の中にある周波数のマイクロ波エネルギーを放射する、項目１に記載の医療装置。
（項目２７）
前記第１の導体の全長は、前記装置によって送達される前記マイクロ波エネルギーの有効波長の４分の１または４分の３のうちの１つである、項目１に記載の医療装置。
（項目２８）
前記装置は、発電機に接続され、該発電機は、時間とともに電力送達の大きさを変化させることが可能である、項目１に記載の医療装置。
（項目２９）
組織の中の空洞の表面にエネルギーを送達する方法であって、該方法は、
該空洞の中にマイクロ波アブレーション装置を挿入することであって、該マイクロ波アブレーション装置は、伝送線と、マイクロ波アンテナとを備え、該マイクロ波アンテナは、第１の平面導体と、平面成形要素とを備える、ことと、
マイクロ波アブレーション装置にエネルギーを印加することであって、該エネルギーの印加中に、該平面成形要素は、該平面導体のエネルギー出力を改変して容量マイクロ波場を産生し、実質的に該空洞の表面全体にエネルギーを送達する、ことと
を含む、方法。
（項目３０）
少なくとも前記第１の平面導体のプロファイルは、前記空洞の形状に基づいて選択される、項目２９に記載の方法。
（項目３１）
少なくとも前記平面成形要素のプロファイルは、前記空洞の形状に基づいて選択される、項目３０に記載の方法。
（項目３２）
前記空洞は、子宮腔を含み、少なくとも前記第１の平面導体のプロファイルは、該空洞の形状に基づいて選択される、項目２９に記載の方法。
（項目３３）
前記マイクロ波アブレーション装置を挿入することは、前記アンテナの平面が、子宮腔の平面と実質的に平行であるように、該子宮腔内に該マイクロ波アブレーション装置を配置することを含む、項目２９に記載の方法。
（項目３４）
エネルギーを印加することは、前記空洞の中に前記容量マイクロ波場を生成することを含み、それにより、前記マイクロ波アンテナを再配置することなく、該空洞に治療的に有効な量のエネルギーを提供する、項目２９に記載の方法。
（項目３５）
前記アンテナは、子宮内膜の形状と実質的に類似した容量マイクロ波場を生成するように構成される、項目２９に記載の方法。
（項目３６）
前記空洞の中に前記マイクロ波アンテナを挿入することは、該空洞の中へ送達シースを前進させ、該送達シースを通して該マイクロ波アンテナを配備することをさらに含む、項目２９に記載の方法。
（項目３７）
前記送達シースを通して冷却液を適用することをさらに含み、それにより、前記空洞の表面を冷却する、項目２９に記載の方法。
（項目３８）
前記容量マイクロ波場は、結果として生じる子宮内膜アブレーションが、前記子宮腔の中心においてより深く、副角領域においてより浅く、子宮下部領域においてより浅くなるように子宮内膜を切除するために使用される、項目２９に記載の方法。
（項目３９）
前記空洞の中に前記マイクロ波アンテナを挿入すると、該マイクロ波アンテナは、該空洞に実質的に一致する、項目２９に記載の方法。
（項目４０）
前記空洞を押しつぶすために吸引を印加することをさらに含む、項目２９に記載の方法。
（項目４１）
前記空洞を押しつぶすことを支援するために、該空洞への開口部を流体密にすることをさらに含む、項目４０に記載の方法。
（項目４２）
前記マイクロ波アブレーション装置にエネルギーを印加することは、治療サイクルの継続時間の全体を通して、該マイクロ波アブレーション装置によって送達される電力を変化させることを含む、項目２９に記載の方法。